(57)【要約】【課題】  パテ又はモルタル充填作業を必要とせずに貫通孔の耐火性能を確保することができる貫通部耐火部材であって、長尺体の位置を調整した場合であっても貫通孔から脱落することを防止することができる貫通部耐火部材を提供する。【解決手段】貫通部耐火部材１は、板状の被貫通部材２に設けられる貫通孔３に挿入される貫通部耐火部材１であって、弾性を有する略筒状の本体部４と、前記本体部４の内周面に環状に設けられる熱膨張部材５と、前記本体部４及び前記熱膨張部材５の内側に設けられ、少なくとも前記貫通孔３に配線又は配管される長尺体１０を保持可能な柔軟性を有する発泡体６と、前記本体部４の外周面に設けられる接着層７と、前記本体部４、前記熱膨張部材５、前記発泡体６、及び前記接着層７のそれぞれ周方向の一部に形成され、前記本体部４の軸方向に沿って切断された割り部８と、を備える。【選択図】図１
2018105039.tif 000002
【特許請求の範囲】
【請求項１】
板状の被貫通部材に設けられる貫通孔に挿入される貫通部耐火部材であって、
弾性を有する略筒状の本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有する発泡体と、
前記本体部の外周面に設けられる接着層と、
前記本体部、前記熱膨張部材、前記発泡体、及び前記接着層のそれぞれ周方向の一部に形成され、前記本体部の軸方向に沿って切断された割り部と、
を備えることを特徴とする貫通部耐火部材。
【請求項２】
前記本体部の外周径は前記貫通孔の内周径と略等しいことを特徴とする請求項１に記載の貫通部耐火部材。
【請求項３】
少なくとも前記本体部に設けられる前記割り部は当該本体部の周回り方向に離間する隙間が設けられており、
前記本体部は弾性変形していない場合に当該本体部の外周径が前記貫通孔の内周径よりも長く、
前記本体部を弾性変形させて前記割り部の隙間を閉じた場合に当該本体部の外周径が前記貫通孔の内周径以下であることを特徴とする請求項１に記載の貫通部耐火部材。
【請求項４】
前記接着層の外周面に設けられる離型紙をさらに備え、
前記割り部は、前記離型紙の周方向の一部にも前記本体部の軸方向に沿って切断されて形成されるものであり、
前記離型紙は、前記割り部を挟んで一方側端から前記本体部の周回り方向に延びる切れ込みと、前記割れ部を挟んで他方側端から前記本体部の周回り方向に延びる切れ込みとが前記本体部の軸方向に交互に設けられることを特徴とする請求項１から請求項３のいずれかに記載の貫通部耐火部材。
【請求項５】
板状の被貫通部材に設けられる貫通孔に挿入される貫通部耐火部材であって、
弾性を有する略筒状の本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有する発泡体と、
前記本体部の外周面に設けられる接着層と、
前記接着層の外周面に設けられる離型紙と、
を備え、
前記離型紙はらせん状の切れ込みを有することを特徴とする貫通部耐火部材。
【請求項６】
前記本体部は軸方向の両端にそれぞれフランジが形成されることを特徴とする請求項１から請求項５のいずれかに記載の貫通部耐火部材。
【請求項７】
前記本体部の両側の前記フランジは前記被貫通部材のそれぞれの面に当接することを特徴とする請求項６に記載の貫通部耐火部材。
【請求項８】
前記被貫通部材は床スラブであることを特徴とする請求項１から請求項７に記載の貫通部耐火部材。
【請求項９】
前記本体部は難燃性樹脂又は難燃性ゴム製であり、前記発泡体は難燃性スポンジであることを特徴とする請求項１から請求項８のいずれかに記載の貫通部耐火部材。
【請求項１０】
前記被貫通部材に設けられる前記貫通孔に請求項１から請求項３のいずれかに記載の貫通部耐火部材を設置する耐火施工方法であって、
前記貫通部耐火部材は前記割り部を挟んで両側を径方向の内外にずらして、その一部を重ねることで縮径し、
前記貫通部耐火部材を縮径した状態で前記貫通孔に挿入し、
その後、弾性応力によって前記貫通部耐火部材の前記割り部の両側が整合するように拡径し、前記貫通孔の内面に前記接着層を当接させることを特徴とする耐火施工方法。
【請求項１１】
前記被貫通部材に設けられる前記貫通孔に請求項５に記載の貫通部耐火部材を設置する耐火施工方法であって、
前記貫通部耐火部材を前記貫通孔に圧入し、
その後、前記離型紙を端部から引き抜き前記貫通孔の内面に前記接着層を当接させることを特徴とする耐火施工方法。
【発明の詳細な説明】
【技術分野】
【０００１】
本発明は、空間を隔てる被貫通部材に配管やケーブルなどの長尺体を貫通するための貫通孔の耐火性能を確保するための貫通部耐火部材及び当該貫通部耐火部材を用いた耐火施工方法に関する。
【背景技術】
【０００２】
建造物の空間を隔てる例えば天井、床、壁などの区画部には、各種の配管やケーブルなどの長尺体を各空間に導入するための貫通孔が設けられる。したがって、例えば一方の空間で火災が発生すると、貫通孔を通過して、火災が建造物全体に広がり、甚大な被害をもたらすおそれがある。
【０００３】
そこで、例えば、このような区画部を貫通する耐火構造としては、まず、長尺体の回りに耐火遮音シートを装着して、長尺体の回りに耐火性を持たせる。そして、耐火遮音シートを装着した長尺体を貫通孔に挿入して、当該貫通孔と耐火遮音シートの間に熱膨張性のパテやモルタルやを充填することで、貫通孔の耐火性能を確保している。
【０００４】
しかし、長尺体の周囲に直接熱膨張性のパテやモルタルを混練して充填するのは、熟練の作業員が必要であり作業性が悪い。また、パテやモルタルの充填不良や不足を確実に防止することは困難であり、充填不良や不足を検査する際にも耐火遮音シートを剥がす必要があり煩わしい。そして、耐火性を有する耐火遮音シートと通常の遮音シートとの２種類の遮音シートが在庫として必要になるので不経済である。
【０００５】
そこで、パテやモルタルを必要とせずに区画部の貫通孔の耐火性能を確保するものとして、筒状の本体部の内面に熱膨張材と発泡体とを具備する耐火部材が提案されている（例えば特許文献１）。このような構成の場合、配管やケーブルなどの長尺体は発泡体に支持されて貫通孔に挿入した状態に保持され、火災などの際には熱膨張材が膨張して貫通孔を塞ぐので、貫通孔の耐火性を確保することができ、しかもパテやモルタルを用いないので、作業性に優れる。
【先行技術文献】
【特許文献】
【０００６】
【特許文献１】特開２０１６−１１２３４５号公報
【発明の概要】
【発明が解決しようとする課題】
【０００７】
しかし、特許文献１の耐火部材は貫通孔に挿入されるだけで保持されているので、施工の際に長尺体の位置を調整するために、耐火部材に対して長尺体を挿入方向及び引き抜き方向に移動させると、当該耐火部材と長尺体との摩擦力によって、耐火部材が貫通孔から脱落するおそれがある。
【０００８】
そこで本発明は、パテ又はモルタル充填作業を必要とせずに貫通孔の耐火性能を確保することができる貫通部耐火部材であって、長尺体の位置を調整した場合であっても貫通孔から脱落することを防止することができる貫通部耐火部材を提供することを目的とする。
【課題を解決するための手段】
【０００９】
本発明の第一の貫通部耐火部材は、板状の被貫通部材に設けられる貫通孔に挿入される貫通部耐火部材であって、弾性を有する略筒状の本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、前記本体部の外周面に設けられる接着層と、前記本体部、前記熱膨張部材、前記発泡体、及び前記接着層のそれぞれ周方向の一部に形成され、前記本体部の軸方向に沿って切断された割り部と、を備えることを特徴としている。
【００１０】
また、本発明の第二の貫通部耐火部材は、前記本体部の外周径は前記貫通孔の内周径と略等しいことを特徴としている。
【００１１】
本発明の第三の貫通部耐火部材は、少なくとも前記本体部に設けられる前記割り部は当該本体部の周回り方向に離間する隙間が設けられており、前記本体部は弾性変形していない場合に当該本体部の外周径が前記貫通孔の内周径よりも長く、前記本体部を弾性変形させて前記割り部の隙間を閉じた場合に当該本体部の外周径が前記貫通孔の内周径以下であることを特徴としている。
【００１２】
本発明の第四の貫通部耐火部材は、前記接着層の外周面に設けられる離型紙をさらに備え、前記割り部は、前記離型紙の周方向の一部にも前記本体部の軸方向に沿って切断されて形成されるものであり、前記離型紙は、前記割り部を挟んで一方側端から前記本体部の周回り方向に延びる切れ込みと、前記割れ部を挟んで他方側端から前記本体部の周回り方向に延びる切れ込みとが前記本体部の軸方向に交互に設けられることを特徴としている。
【００１３】
本発明の第五の貫通部耐火部材は、板状の被貫通部材に設けられる貫通孔に挿入される貫通部耐火部材であって、弾性を有する略筒状の本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、前記本体部の外周面に設けられる接着層と、前記接着層の外周面に設けられる離型紙と、を備え、前記離型紙はらせん状の切れ込みを有することを特徴としている。
【００１４】
本発明の第六の貫通部耐火部材は、前記本体部は軸方向の両端にそれぞれフランジが形成されることを特徴としている。
【００１５】
本発明の第七の貫通部耐火部材は、前記本体部の両側の前記フランジは前記被貫通部材のそれぞれの面に当接することを特徴としている。
【００１６】
本発明の第八の貫通部耐火部材は、前記被貫通部材は床スラブであることを特徴としている。
【００１７】
本発明の第九の貫通部耐火部材は、前記本体部は難燃性樹脂又は難燃性ゴム製であり、前記発泡体は難燃性スポンジであることを特徴としている。
【００１８】
本発明の耐火施工方法は、前記被貫通部材に設けられる前記貫通孔に第一から第三のいずれかの貫通部耐火部材を設置する耐火施工方法であって、前記貫通部耐火部材は前記割り部を挟んで両側を径方向の内外にずらして、その一部を重ねることで縮径し、前記貫通部耐火部材を縮径した状態で前記貫通孔に挿入し、その後、弾性応力によって前記貫通部耐火部材の前記割り部の両側が整合するように拡径し、前記貫通孔の内面に前記接着層を当接させることを特徴としている。
【００１９】
本発明の耐火施工方法は、前記被貫通部材に設けられる前記貫通孔に第五の貫通部耐火部材を設置する耐火施工方法であって、前記貫通部耐火部材を前記貫通孔に圧入し、その後、前記離型紙を端部から引き抜き前記貫通孔の内面に前記接着層を当接させることを特徴としている。
【発明の効果】
【００２０】
本発明の第一の貫通部耐火部材によると、本体部、熱膨張部材、発泡体が設けられており、パテやモルタルを充填しなくても配管やケーブルなどの長尺体が発泡体に支持された状態で貫通孔に保持され、火災などの際には熱膨張材が膨張して貫通孔を塞ぐので、貫通孔の耐火性を確保することができるので、作業性がよい。そして本体部の外周面に接着層が設けられているので、貫通孔の内面に接着層が接着することで、貫通部耐火部材を貫通孔から引き抜く方向への荷重に耐えることができ、長尺体の位置を調整する場合などに、貫通孔から貫通部耐火部材が脱落することを防止することができる。また、本体部、熱膨張部材、発泡体、及び接着層のそれぞれ周方向の一部に本体部の軸方向に沿って切断された割り部が形成されているので、貫通部耐火部材は割り部を挟んで両側を径方向の内外にずらして、その一部を重ねることで縮径することができ、貫通孔の内面に接着層が当らないように貫通部耐火部材を挿入して、その後、適切な位置で貫通孔の内面に接着層を接着させることができる。
【００２１】
本発明の第二の貫通部耐火部材によると、上述のように、貫通部耐火部材は割り部を挟んで両側を径方向の内外にずらして、その一部を重ねて縮径した状態で貫通孔に挿入し、その後、貫通孔の内面に接着層を接着するとき、本体部の外周径が貫通孔の内周径と略等しいので、接着層を貫通孔の内面に確実に密着させることができる。
【００２２】
本発明の第三の貫通部耐火部材によると、少なくとも本体部に設けられる割り部は当該本体部の周回り方向に離間する隙間が設けられており、且つ、弾性変形していない場合に本体部の外周径が貫通孔の内周径よりも長く形成されており、本体部を弾性変形させて割り部の隙間を閉じた場合に本体部の外周径が貫通孔の内周径以下となるので、割り部の隙間を閉じた場合に貫通部耐火部材は貫通孔に挿入可能な大きさである。そして、貫通部耐火部材が貫通孔に挿入されているときには、本体部は割り部の隙間が小さくなる方向に弾性変形されているので、本体部の弾性応力によって当該本体部の外周面に設けられている接着層は貫通孔の内面に圧接されるので、接着層を貫通孔の内面に確実に密着させることができる。なお、隙間が設けられていることで、１種類の寸法の貫通部耐火部材を径の異なる貫通孔に挿入し固定することができるので、部品点数を削減することもできる。
【００２３】
本発明の第四の貫通部耐火部材によると、接着層の外周面に離型紙が設けられており、当該離型紙は割り部を挟んで一方側端から本体部の周回り方向に延びる切れ込みと、割れ部を挟んで他方側端から本体部の周回り方向に延びる切れ込みとが本体部の軸方向に交互に設けられるので、離型紙をつけた状態のまま貫通部耐火部材は割り部を挟んで両側を径方向の内外にずらして、その一部を重ねることで縮径するして、当該貫通部耐火部材を挿入して、その後、離型紙を貫通部耐火部材の端部から引き抜くことで貫通孔の内面に接着層を当接させることができる。
【００２４】
本発明の第五の貫通部耐火部材によると、本体部、熱膨張部材、発泡体が設けられており、パテやモルタルを充填しなくても配管やケーブルなどの長尺体が発泡体に支持された状態で貫通孔に保持され、火災などの際には熱膨張材が膨張して貫通孔を塞ぐので、貫通孔の耐火性を確保することができるので、作業性がよい。そして本体部の外周面に接着層が設けられているので、貫通孔の内面に接着層が接着することで、貫通部耐火部材を貫通孔から引き抜く方向への荷重に耐えることができ、長尺体の位置を調整する場合などに、貫通孔から貫通部耐火部材が脱落することを防止することができる。また、接着層の外周面に離型紙が設けられており、当該離型紙はらせん状の切れ込みを有するので、離型紙をつけた状態のまま貫通部耐火部材を貫通孔に圧入し、その後、離型紙を貫通部耐火部材の端部から引き抜くことで貫通孔の内面に接着層を当接させることができる。
【００２５】
本発明の第六の貫通部耐火部材によると、本体部は軸方向の両端にそれぞれフランジが形成されているので、貫通孔に貫通部耐火部材を挿入した際に当該貫通部耐火部材が脱落することをより確実に防止することができる。
【００２６】
本発明の第七の貫通部耐火部材によると、フランジは貫通孔が設けられる被貫通部材のそれぞれの面に当接するので、貫通部耐火部材を貫通孔に挿入した際に貫通部耐火部材がフランジによって被貫通部材にがたつくことなく確実に固定されるとともに、フランジが被貫通部材の両面に納まりよく配置される。
【００２７】
本発明の第八の貫通部耐火部材によると、被貫通部材は床スラブであるので、床スラブに設けられた貫通孔にパテやモルタルを充填しなくても配管やケーブルなどの長尺体を挿入する場合に、作業性よく貫通孔の耐火性を確保することができる。
【００２８】
本発明の第九の貫通部耐火部材によると、本体部及び発泡体が難燃性であれば、火災の延焼をより確実に防止できる。
【００２９】
本発明の耐火施工方法によると、貫通部耐火部材は割り部を挟んで両側を径方向の内外にずらして、その一部を重ねることで縮径し、貫通部耐火部材を縮径した状態で貫通孔に挿入し、その後、弾性応力によって貫通部耐火部材の割り部の両側が整合するように拡径し、貫通孔の内面に接着層を当接させることがでできるので、貫通部耐火部材を挿入する際には接着層が貫通孔の内面に当接することがなく、挿入後には貫通部耐火部材を確実に貫通孔に接着して固定することができる。
【００３０】
本発明の耐火施工方法によると、貫通部耐火部材の接着層には離型紙が設けられており、この離型紙を外さないままに、被貫通部材に設けられる貫通孔に貫通部耐火部材を圧入して、その後、離型紙を端部から引き抜き、貫通孔の内面に接着層を当接させるので、貫通部耐火部材を貫通孔に挿入する際には貫通部耐火部材の接着層には離型紙が設けられているので、接着層が貫通孔に付着することなく挿入することができ、挿入後には貫通孔に確実に接着層を接着させることができる。
【図面の簡単な説明】
【００３１】
【図１】第一実施形態の貫通部耐火部材の全体構成を示す断面図。
【図２】第一実施形態の貫通部耐火部材の全体構成を示す斜視図。
【図３】第一実施形態の貫通部耐火部材を軸方向の一端から見た平面図。
【図４】貫通孔に第一実施形態の貫通部耐火部材を挿入する状態を示す平面図。
【図５】貫通孔に第一実施形態の貫通部耐火部材が挿入されて固定された状態を示す断面図。
【図６】第一実施形態の貫通部耐火部材の変形例として、本体部の割り部に隙間が設けられていない例を示す斜視図及び平面図。
【図７】第一実施形態の貫通部耐火部材の別の変形例であり、（Ａ）は弾性変形していない状態で本体部の割り部の隙間よりも発泡体の割り部の隙間が小さい貫通部耐火部材を示し、（Ｂ）は貫通孔に挿入されて固定された状態で本体部の割り部の隙間に発泡体の一部が挟まれた状態を示す図。
【図８】第二実施形態の貫通部耐火部材の全体構成を示す斜視図。
【図９】第二実施形態の貫通部耐火部材を貫通孔に挿入する途中の状態を示す断面図。
【図１０】第二実施形態の貫通部耐火部材を貫通孔に挿入し終えた状態を示す断面図。
【図１１】第二実施形態の貫通部耐火部材を貫通孔に挿入した後、剥がししろを引っ張って離型紙を剥がしている途中の状態を示す被貫通部材の記載を省略した斜視図。
【図１２】第二実施形態の貫通部耐火部材の離型紙を剥がし終えた状態を示す断面図。
【図１３】第二実施形態の貫通部耐火部材の変形例であり、割り部を挟んで一方側端から本体部の周回り方向に延びる切れ込みと、割れ部を挟んで他方側端から本体部の周回り方向に延びる切れ込みとを交互に有する離型紙を備えた貫通部耐火部材を示す斜視図。
【図１４】図１３の貫通部耐火部材の離型紙を展開した状態を示す図。
【発明を実施するための形態】
【００３２】
〔第一実施形態〕
以下、本発明に係る貫通部耐火部材１及び耐火施工方法の第一実施形態について各図を参照しつつ説明する。貫通部耐火部材１は、図５に示すように本実施形態においては、被貫通部材２としての床スラブに形成された貫通孔３に挿入されて当該貫通孔３の耐火性能を確保する部材である。なお、被貫通部材２は床スラブに限定されるものではなく、耐火構造の床、壁、天井、又は基礎などを構成し、空間を隔てる板状の部材であればよい。
【００３３】
貫通部耐火部材１は、図１から図３に示すように、略筒状の本体部４と、本体部４の内周面に環状に設けられる熱膨張部材５と、本体部４及び熱膨張部材５の内側に設けられる発泡体６と、本体部４の外周面に設けられる接着層７と、を備えており、さらに、本体部４、熱膨張部材５、発泡体６、及び接着層７のそれぞれ周方向の一部には本体部４の軸方向に沿って切断された割り部８が形成されている。
【００３４】
本体部４は、例えば難燃性樹脂又は難燃性ゴム製であり、容易に弾性変形することができる。本体部４は略円形の筒状であり本体部４の両端にはそれぞれフランジ９が形成されている。弾性変形していない状態において本体部４の外周径は、被貫通部材２に形成された貫通孔３の内周径よりも長く形成されている。
【００３５】
また本体部４の周方向の一部には当該本体部４の軸方向に沿って切断された割り部８が形成されている。割り部８は、例えば図２又は図３に示すように本体部４が弾性変形していない状態において隙間を有している。割り部８が隙間を有していることで、本体部４は割り部８が接近する方向に弾性変形することで当該本体部４を縮径することができ、貫通孔３に挿入する際に挿入しやすくすることができる。
【００３６】
また、本体部４を弾性変形させて割り部８の隙間を閉じた場合には、当該本体部４の外周径が貫通孔３の内周径以下となる。これによって、貫通孔３の内周径が弾性変形していない状態の本体部４の外周径よりも短い場合であっても、貫通孔３に貫通部耐火部材１を挿入して固定することができる。そして、貫通部耐火部材１を貫通孔３に挿入したあとで本体部４が貫通孔３内で拡径することで、貫通部耐火部材１を貫通孔３に固定できる。貫通孔３の内周径は弾性変形していない状態の本体部４の外周径よりも短い場合、貫通部耐火部材１は貫通孔３の内部で常に拡径する方向に弾性応力が働いているので、確実に固定することができ、貫通孔３に寸法誤差がある場合や多少寸法が異なる貫通孔３にも貫通部耐火部材１を挿入して固定できる。
【００３７】
なお、本体部４の軸方向の長さは当該本体部４を貫通孔３に挿入したときに本体部４の両端に形成されるフランジ９が、被貫通部材２の両側の面にそれぞれ当接できる長さであることが好ましい。本体部４の軸方向の長さはこれに限定されるものではなく、被貫通部材２の厚さよりも長く形成して、厚さ寸法の異なる多種の被貫通部材２の貫通孔３に挿入可能なものとしてもよい。
【００３８】
熱膨張部材５は、本体部４の内周面の全周にわたって環状に形成されている。熱膨張部材５は、火災時等の熱によって膨張するものである。そして、本体部４および熱膨張部材５の内側には、発泡体６が収容される。発泡体６は、例えばウレタン発泡体６であり、難燃性スポンジであることが望ましい。発泡体６は、内周側に凹凸形状を有しており、貫通部耐火部材１の内側に長尺体１０を挿入した場合に、発泡体６が当該長尺体１０の形状に応じて容易に変形し長尺体１０を支持することができる形状である。また発泡体６は、貫通孔３の一方側から他方側を見えないようにする目隠しとしても機能する。発泡体６の形状はこれに限定されるものではなく、長尺体１０を挿入したときに長尺体１０をほとんど隙間無く保持することができる形状であれば如何なる形状であってもよい。
【００３９】
接着層７は、耐火性を有する接着剤からなることが好ましいが、貫通孔３に貫通部耐火部材１を挿入し、配管又は配線などの長尺体１０を挿入する作業の際に接着できるものであればどのような接着剤から構成されてもよい。接着層７は貫通部耐火部材１を貫通孔３に挿入する前に硬化することがないように、例えば図示しないが離型紙が設けられていても良い。
【００４０】
熱膨張部材５、発泡体６、接着層７にもそれらの周方向の一部に本体部４の軸方向に沿って切断された割り部８が形成されており、図２及び図３に示すように、貫通部耐火部材１は本体部４の軸方向の端部から見た場合にＣ字状に形成されている。
【００４１】
このように構成された貫通部耐火部材１を用いて被貫通部材２に形成された貫通孔３の耐火性能を確保する耐火施工方法は、まず図４に示すように、貫通部耐火部材１の割り部８を挟んで両側を径方向の内外にずらして、その一部を重ねることで貫通部耐火部材１の全体を縮径する。このときフランジ９が貫通孔３に挿入可能となるまで縮径する。このようにすることでフランジ９が引っ掛かること無く貫通部耐火部材１を貫通孔３に挿入することができる。また、貫通部耐火部材１を貫通孔３に挿入している途中で、本体部４の外周面に設けられている接着層７が貫通孔３の内周面に当接することもない。
【００４２】
そして、貫通部耐火部材１を縮径した状態のまま貫通孔３に挿入し、その後、図５に示すように、貫通部耐火部材１を本体部４の弾性応力によって縮径した状態から拡径し、割り部８の両側を整合させて、貫通孔３の内面に接着層７を当接させる。その後、貫通孔３に挿入した状態で固定された貫通部耐火部材１に長尺体１０を挿入して、配線又は配管し、耐火施工方法を完了する。
【００４３】
なお、本実施形態の耐火施工方法においては、貫通部耐火部材１を貫通孔３に挿入した状態で固定した後に、長尺体１０を挿入しているが、貫通部耐火部材１を貫通孔３に挿入する前に予め長尺体１０を挿入しておいても良い。この場合、長尺体１０は割り部８の間を通して貫通部耐火部材１の本体部４の内部に挿入することができ、長尺体１０を簡単に挿入することができる。
【００４４】
以上のように本実施形態の貫通部耐火部材１及び耐火施工方法によると、貫通部耐火部材１を縮径して容易に貫通孔３に挿入することができ、本体部４の外周面の接着層７が貫通孔３の内周面に接着するとともに、本体部４の両側のフランジ９が被貫通部材２のそれぞれの面に当接することで、長尺体１０の位置を調整する場合などに、貫通部耐火部材１を貫通孔３から引き抜く方向への荷重に耐えることができ、貫通孔３から貫通部耐火部材１が脱落することを防止することができる。なお、貫通部耐火部材１及び耐火施工方法は、必ずしも貫通部耐火部材１の割り部８を挟んで両側を径方向の内外にずらして、その一部を重ねることで貫通部耐火部材１の全体を縮径して、貫通孔３に貫通部耐火部材１を挿入するものに限定されるものではなく、貫通部耐火部材１を貫通孔３にそのままの形状で圧入してもよい。
【００４５】
なお、本実施形態では、貫通部耐火部材１の割り部８には本体部４が弾性変形していない状態で隙間が設けられているが、これに限定されるものではなく、図６に示すように、弾性変形してない状態で本体部４の外周径が貫通孔３の内周径と略等しく、割り部８は隙間のない状態で本体部４を軸方向の切断されているものであってもよい。このように構成したとしても、貫通部耐火部材１は割り部８を挟んで両側を径方向の内外にずらして、その一部を重ねることで縮径することができるので、貫通孔３に挿入し、その後、拡径して、貫通孔３の内面に接着層７を当接させて、貫通孔３に貫通部耐火部材１を固定することができる。
【００４６】
また、例えば、図７に示すように、本体部４の割り部８ａが大きな隙間を有しているとともに、発泡体６の割り部８ｂがそれよりも小さな隙間を形成するものであってもよい。このように構成すると貫通部耐火部材１を貫通孔３に挿入して固定した状態で本体部４の割り部８ａに隙間がある場合であっても、発泡体６がその隙間に入り込んで当該隙間を埋めることができる。
【００４７】
〔第二実施形態〕
次に本発明に係る貫通部耐火部材１及び耐火施工方法の第二実施形態について図８から図１２を参照しつつ説明する。なお、第一の実施形態と同様の構成については、同一の符号を付して説明を省略する。本実施形態の貫通部耐火部材１は、図８に示すように、略筒状の本体部４と、本体部４の内周面に環状に設けられる熱膨張部材５と、本体部４及び熱膨張部材５の内側に設けられる発泡体６と、本体部４の外周面に設けられる接着層７と、接着層７の外周面に設けられる離型紙１１と、を備えている。
【００４８】
本実施形態においては、本体部４、熱膨張部材５、発泡体６、及び接着層７は割り部８が形成されていない他は、第一実施形態と同様の構成であるので詳細な説明を省略する。離型紙１１は本体部４の外周面に設けられた接着層７の外周面に設けられており、らせん状の切れ込みＮを有している。離型紙１１は、本体部４のフランジ９から軸方向に突出するように剥がししろ１２が形成されており、この剥がししろ１２を本体部４の軸方向外側に引っ張ることで、離型紙１１を接着層７から剥がすことができる。
【００４９】
本実施形態の貫通部耐火部材１を用いた耐火施工方法は、まず貫通部耐火部材１の内部に長尺体１０を挿入する。そして、長尺体１０が挿入された貫通部耐火部材１を被貫通部材２の貫通孔３に圧入する。図９に示すように、本体部４は弾性を有する難燃性ゴムで形成されているので貫通孔３に挿入する際にはフランジ９が弾性変形して貫通孔３に圧入され、挿入側のフランジ９が貫通孔３を通過して、被貫通部材２の挿入方向と逆側の面で弾性応力で広がり、図１０に示すように、被貫通部材２の両側の面にそれぞれのフランジ９が当接する。
【００５０】
そして、図１１に示すように、剥がししろ１２を本体部４の軸方向外側に向けて引っ張る。なお、図１１においては、図示の都合上、被貫通部材２及び貫通孔３の記載を省略している。剥がししろ１２を引っ張ると、離型紙１１が接着層７から離れて貫通孔３と接着層７の間から引き抜かれ、図１２に示すように、貫通孔３の内周面と接着層７とが接着して、貫通部耐火部材１が貫通孔３内に固定される。
【００５１】
このように、貫通部耐火部材１を貫通孔３に挿入する際には、貫通部耐火部材１の接着層７には離型紙１１が設けられているので、接着層７が貫通孔３に付着することなく挿入することができ、挿入後には離型紙１１をはがすことができるので貫通孔３に確実に接着層７を接着させることができる。
【００５２】
なお、第二実施形態においては、接着層７の外周面に設けられた離型紙１１は、らせん状の切れ込みＮを有しており、割り部８が形成されていないが、これに限られるものではない。離型紙１１は、図１３に示すように、割り部８を挟んで一方側端１３から本体部４の周回り方向に延びる切れ込みＮと、割れ部８を挟んで他方側端１４から本体部４の周回り方向に延びる切れ込みＮとが本体部４の軸方向に沿って交互に設けられるものであってもよい。すなわち、離型紙１１は、図１４に展開図で示すように、割り部８に一方側端１３から延びる切れ込みＮと他方側端１４から延びる切れ込みＮとを交互に配置することで、剥がししろ１２を引っ張って接着層７から離型紙１１を剥がした場合に、一本の細長い帯状となる。
【００５３】
このように構成すると、割り部８を備えているので、貫通部耐火部材１を貫通孔３に挿入する際に、第一実施形態と同様に、割り部８を挟んで両側を径方向の内外にずらして、その一部を重ねることで貫通部耐火部材１の全体を縮径することができ、簡単に貫通部耐火部材１を貫通孔３に挿入することができる。そして、貫通部耐火部材１を貫通孔３に挿入した後で、剥がししろ１２を本体部４の軸方向外側に引っ張ることで、離型紙１１を接着層７から簡単に剥がすことができる。
【００５４】
なお、本発明の実施の形態は上述の形態に限ることなく、本発明の思想の範囲を逸脱しない範囲で適宜変更することができることは云うまでもない。
【産業上の利用可能性】
【００５５】
本発明に係る貫通部耐火部材１及び耐火施工方法は、例えば住宅の耐火構造の床に設けられる貫通孔３の耐火性能を確保する部材及び方法として、好適に用いることができる。
【符号の説明】
【００５６】
１      貫通部耐火部材
２      被貫通部材
３      貫通孔
４      本体部
５      熱膨張部材
６      発泡体
７      接着層
８      割り部
９      フランジ
１０    長尺体
１１    離型紙
【図１】
2018105039.tif 000003
【図２】
2018105039.tif 000004
【図３】
2018105039.tif 000005
【図４】
2018105039.tif 000006
【図５】
2018105039.tif 000007
【図６】
2018105039.tif 000008
【図７】
2018105039.tif 000009
【図８】
2018105039.tif 000010
【図９】
2018105039.tif 000011
【図１０】
2018105039.tif 000012
【図１１】
2018105039.tif 000013
【図１２】
2018105039.tif 000014
【図１３】
2018105039.tif 000015
【図１４】
2018105039.tif 000016
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
板状の被貫通部材に設けられる貫通孔に挿入される貫通部耐火部材であって、
弾性を有する略筒状の本体部と、
前記本体部の内周面に環状に設けられる熱膨張部材と、
前記本体部及び前記熱膨張部材の内側に設けられ、少なくとも前記貫通孔に配線又は配管される長尺体を保持可能な柔軟性を有する発泡体と、
前記本体部の外周面に設けられる接着層と、
前記接着層の外周面に設けられる離型紙と、
前記本体部、前記熱膨張部材、前記発泡体、前記接着層、及び前記離型紙のそれぞれ周方向の一部に形成され、前記本体部の軸方向に沿って切断された割り部と、を備え、
前記離型紙は、前記割り部を挟んで一方側端から前記本体部の周回り方向に延びる切れ込みと、前記割れ部を挟んで他方側端から前記本体部の周回り方向に延びる切れ込みとが前記本体部の軸方向に交互に設けられることを特徴とする貫通部耐火部材。
【請求項２】
前記本体部の外周径は前記貫通孔の内周径と略等しいことを特徴とする請求項１に記載の貫通部耐火部材。
【請求項３】
少なくとも前記本体部に設けられる前記割り部は当該本体部の周回り方向に離間する隙間が設けられており、
前記本体部は弾性変形していない場合に当該本体部の外周径が前記貫通孔の内周径よりも長く、
前記本体部を弾性変形させて前記割り部の隙間を閉じた場合に当該本体部の外周径が前記貫通孔の内周径以下であることを特徴とする請求項１に記載の貫通部耐火部材。
【請求項４】
前記本体部は軸方向の両端にそれぞれフランジが形成されることを特徴とする請求項１から請求項３のいずれかに記載の貫通部耐火部材。
【請求項５】
前記本体部の両側の前記フランジは前記被貫通部材のそれぞれの面に当接することを特徴とする請求項４に記載の貫通部耐火部材。
【請求項６】
前記被貫通部材は床スラブであることを特徴とする請求項１から請求項５に記載の貫通部耐火部材。
【請求項７】
前記本体部は難燃性樹脂又は難燃性ゴム製であり、前記発泡体は難燃性スポンジであることを特徴とする請求項１から請求項６のいずれかに記載の貫通部耐火部材。
【請求項８】
前記被貫通部材に設けられる前記貫通孔に請求項１から請求項３のいずれかに記載の貫通部耐火部材を設置する耐火施工方法であって、
前記貫通部耐火部材は前記割り部を挟んで両側を径方向の内外にずらして、その一部を重ねることで縮径し、
前記貫通部耐火部材を縮径した状態で前記貫通孔に挿入し、
その後、弾性応力によって前記貫通部耐火部材の前記割り部の両側が整合するように拡径し、前記離型紙を端部から引き抜いて前記貫通孔の内面に前記接着層を当接させることを特徴とする耐火施工方法。
【請求項９】
板状の被貫通部材に設けられる貫通孔に貫通部耐火部材を設置する耐火施工方法であって、
前記貫通部耐火部材は、弾性を有する略筒状の本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、前記本体部の外周面に設けられる接着層と、前記接着層の外周面に設けられ、らせん状の切れ込みを有する離型紙と、を備えており、
前記貫通部耐火部材を前記貫通孔に圧入し、
その後、前記離型紙を端部から引き抜き前記貫通孔の内面に前記接着層を当接させることを特徴とする耐火施工方法。
【手続補正２】
【補正対象書類名】明細書
【補正対象項目名】０００９
【補正方法】変更
【補正の内容】
【０００９】
本発明の第一の貫通部耐火部材は、板状の被貫通部材に設けられる貫通孔に挿入される貫通部耐火部材であって、弾性を有する略筒状の本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、前記本体部の外周面に設けられる接着層と、前記接着層の外周面に設けられる離型紙と、前記本体部、前記熱膨張部材、前記発泡体、前記接着層、及び前記離型紙のそれぞれ周方向の一部に形成され、前記本体部の軸方向に沿って切断された割り部と、を備え、前記離型紙は、前記割り部を挟んで一方側端から前記本体部の周回り方向に延びる切れ込みと、前記割れ部を挟んで他方側端から前記本体部の周回り方向に延びる切れ込みとが前記本体部の軸方向に交互に設けられることを特徴としている。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明の第四の貫通部耐火部材は、前記本体部は軸方向の両端にそれぞれフランジが形成されることを特徴としている。
【手続補正６】
【補正対象書類名】明細書
【補正対象項目名】００１５
【補正方法】変更
【補正の内容】
【００１５】
本発明の第五の貫通部耐火部材は、前記本体部の両側の前記フランジは前記被貫通部材のそれぞれの面に当接することを特徴としている。
【手続補正７】
【補正対象書類名】明細書
【補正対象項目名】００１６
【補正方法】変更
【補正の内容】
【００１６】
本発明の第六の貫通部耐火部材は、前記被貫通部材は床スラブであることを特徴としている。
【手続補正８】
【補正対象書類名】明細書
【補正対象項目名】００１７
【補正方法】変更
【補正の内容】
【００１７】
本発明の第七の貫通部耐火部材は、前記本体部は難燃性樹脂又は難燃性ゴム製であり、前記発泡体は難燃性スポンジであることを特徴としている。
【手続補正９】
【補正対象書類名】明細書
【補正対象項目名】００１８
【補正方法】変更
【補正の内容】
【００１８】
本発明の耐火施工方法は、前記被貫通部材に設けられる前記貫通孔に第一から第三のいずれかの貫通部耐火部材を設置する耐火施工方法であって、前記貫通部耐火部材は前記割り部を挟んで両側を径方向の内外にずらして、その一部を重ねることで縮径し、前記貫通部耐火部材を縮径した状態で前記貫通孔に挿入し、その後、弾性応力によって前記貫通部耐火部材の前記割り部の両側が整合するように拡径し、前記離型紙を端部から引き抜いて前記貫通孔の内面に前記接着層を当接させることを特徴としている。
【手続補正１０】
【補正対象書類名】明細書
【補正対象項目名】００１９
【補正方法】変更
【補正の内容】
【００１９】
本発明の耐火施工方法は、板状の被貫通部材に設けられる貫通孔に貫通部耐火部材を設置する耐火施工方法であって、前記貫通部耐火部材は、弾性を有する略筒状の本体部と、前記本体部の内周面に環状に設けられる熱膨張部材と、前記本体部及び前記熱膨張部材の内側に設けられ、少なくとも前記貫通孔に配線又は配管される長尺体を保持可能な柔軟性を有する発泡体と、前記本体部の外周面に設けられる接着層と、前記接着層の外周面に設けられ、らせん状の切れ込みを有する離型紙と、を備えており、前記貫通部耐火部材を前記貫通孔に圧入し、その後、前記離型紙を端部から引き抜き前記貫通孔の内面に前記接着層を当接させることを特徴としている。
【手続補正１１】
【補正対象書類名】明細書
【補正対象項目名】００２０
【補正方法】変更
【補正の内容】
【００２０】
本発明の第一の貫通部耐火部材によると、本体部、熱膨張部材、発泡体が設けられており、パテやモルタルを充填しなくても配管やケーブルなどの長尺体が発泡体に支持された状態で貫通孔に保持され、火災などの際には熱膨張材が膨張して貫通孔を塞ぐので、貫通孔の耐火性を確保することができるので、作業性がよい。そして本体部の外周面に接着層が設けられているので、貫通孔の内面に接着層が接着することで、貫通部耐火部材を貫通孔から引き抜く方向への荷重に耐えることができ、長尺体の位置を調整する場合などに、貫通孔から貫通部耐火部材が脱落することを防止することができる。また、本体部、熱膨張部材、発泡体、及び接着層のそれぞれ周方向の一部に本体部の軸方向に沿って切断された割り部が形成されているので、貫通部耐火部材は割り部を挟んで両側を径方向の内外にずらして、その一部を重ねることで縮径することができ、貫通孔の内面に接着層が当らないように貫通部耐火部材を挿入して、その後、適切な位置で貫通孔の内面に接着層を接着させることができる。また、接着層の外周面に離型紙が設けられており、当該離型紙は割り部を挟んで一方側端から本体部の周回り方向に延びる切れ込みと、割れ部を挟んで他方側端から本体部の周回り方向に延びる切れ込みとが本体部の軸方向に交互に設けられるので、離型紙をつけた状態のまま貫通部耐火部材は割り部を挟んで両側を径方向の内外にずらして、その一部を重ねることで縮径して、当該貫通部耐火部材を挿入して、その後、離型紙を貫通部耐火部材の端部から引き抜くことで貫通孔の内面に接着層を当接させることができる。
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】変更
【補正の内容】
【００２５】
本発明の第四の貫通部耐火部材によると、本体部は軸方向の両端にそれぞれフランジが形成されているので、貫通孔に貫通部耐火部材を挿入した際に当該貫通部耐火部材が脱落することをより確実に防止することができる。
【手続補正１５】
【補正対象書類名】明細書
【補正対象項目名】００２６
【補正方法】変更
【補正の内容】
【００２６】
本発明の第五の貫通部耐火部材によると、フランジは貫通孔が設けられる被貫通部材のそれぞれの面に当接するので、貫通部耐火部材を貫通孔に挿入した際に貫通部耐火部材がフランジによって被貫通部材にがたつくことなく確実に固定されるとともに、フランジが被貫通部材の両面に納まりよく配置される。
【手続補正１６】
【補正対象書類名】明細書
【補正対象項目名】００２７
【補正方法】変更
【補正の内容】
【００２７】
本発明の第六の貫通部耐火部材によると、被貫通部材は床スラブであるので、床スラブに設けられた貫通孔にパテやモルタルを充填しなくても配管やケーブルなどの長尺体を挿入する場合に、作業性よく貫通孔の耐火性を確保することができる。
【手続補正１７】
【補正対象書類名】明細書
【補正対象項目名】００２８
【補正方法】変更
【補正の内容】
【００２８】
本発明の第七の貫通部耐火部材によると、本体部及び発泡体が難燃性であれば、火災の延焼をより確実に防止できる。